(57)【要約】【課題】  ＯＦＦ状態の正反射光が鏡胴に照射されることにより該鏡胴が発熱する現象を阻止し、解像の劣化と迷光を抑制し得る光学系を提供する。【解決手段】  照明光学系１０１と投射光学系１０２を備える光学系であって、上記照明光学系は、照射光路に第１のプリズムＡを有し、投射光路に第２のプリズムＢを有する。画像表示素子２は、二次元的に配列された複数のミラーから構成されており、この複数のミラーの各々はＯＮとＯＦＦの状態をとる。さらに、上記光学系は、光路に光学素子（レンズ群）を保持する鏡胴６を備え、該鏡胴６の一部には反射部７が形成されている。上記ＯＦＦ状態の光は、該反射部７で反射された後、第２のプリズムＢを透過して吸収部材８に吸収される。このように構成することにより、ＯＦＦ状態の正反射光による鏡胴６の発熱を抑止し、解像度の劣化を阻止する。【選択図】  図４
2017032964.tif 000002
【特許請求の範囲】
【請求項１】
光源と、複数のミラーが二次元に配列され、前記複数のミラーは各々その傾きにより少なくともＯＮ状態とＯＦＦ状態とを有する画像表示素子とを備える画像表示装置に用いられる光学系であって、
前記光源と前記画像表示素子との間に配置され、前記画像表示素子へ光を導く第１のプリズムと、
前記ＯＮ状態の光が入射する拡大光学系と、
前記画像表示素子と前記拡大光学系との間に配置され前記ＯＮ状態の光を前記拡大光学系に導く第２のプリズムと、
前記拡大光学系を保持する鏡胴と、を備え、
前記鏡胴の一部に反射部を有し、前記ＯＦＦ状態の光は前記反射部で反射されたのち、前記第２のプリズムを透過して光吸収部へ導かれることを特徴とする光学系。
【請求項２】
前記鏡胴の前記反射部にコーティングが施されていることを特徴とする請求項１に記載の光学系。
【請求項３】
前記鏡胴の前記反射部は、鏡面を持つ反射部材を貼り付けて構成されていることを特徴とする請求項１または２に記載の光学系。
【請求項４】
前記ＯＮ状態の前記複数のミラーの法線と前記ＯＦＦ状態の前記複数のミラーの法線が同一面上にないことを特徴とする請求項１〜３のいずれか１項に記載の光学系。
【請求項５】
前記第１のプリズムと前記第２のプリズムの形状は、透過した光が前記光吸収部に向かうように形成されていることを特徴とする請求項１〜４のいずれか１項に記載の光学系。
【請求項６】
前記第１のプリズムの反射面と前記第２のプリズムの出射面との交線と、前記第１のプリズムの前記反射面の端部とが一致することを特徴とする請求項１〜５のいずれか１項に記載の光学系。
【請求項７】
前記第１のプリズムの１つの角部を切り欠いた形状とすることで、前記第１のプリズムの前記反射面と前記第２のプリズムの前記出射面との前記交線と、前記第１のプリズムの前記反射面の端部とを一致させていることを特徴とする請求項６に記載の光学系。
【請求項８】
前記光吸収部は、前記第２のプリズムの前記出射面に沿って配置されることを特徴とする請求項１〜５のいずれか１項に記載の光学系。
【請求項９】
前記光源は、固体光源であることを特徴とする請求項１〜８のいずれか１項に記載の光学系。
【請求項１０】
請求項１に記載の光学系を備えたことを特徴とする画像表示装置。
【発明の詳細な説明】
【技術分野】
【０００１】
本発明は、投影面に画像を拡大して投射する光学系およびそれを用いた画像表示装置に関する。
【背景技術】
【０００２】
一般的にプロジェクタと称される画像表示装置には、ＣＲＴ（Ｃａｔｈｏｒｄ−Ｒａｙ  Ｔｕｂｅの略）プロジェクタ、液晶プロジェクタ、ＤＭＤ（Ｄｉｇｉｔａｌ  Ｍｉｃｒｏｍｉｒｒｏｒ  Ｄｅｖｉｃｅの略）プロジェクタなどがあるが、近年は、ＤＭＤを応用した画像表示装置が盛んに開発され且つ実用に供されている。
このうち、ＤＭＤは、米国のテキサス・インスツルメンツ（Ｔｅｘａｓ  Ｉｎｓｔｒｕｍｅｎｔｓ）によって開発されたものであり、１９８７年に同社のラリーホーンベック博士によって発明された可動式のマイクロミラーを表示素子の画素とするデバイスである。
このＤＭＤは、反射型の画像表示素子であり、二次元的に配列した複数のミラーを備え、該複数のミラー各々の傾斜角度が変化することでＯＮとＯＦＦの状態を作り出すものである。
このようなＤＭＤの応用製品として、例えばＤＭＤプロジェクタがあり、一方のＯＮ状態の反射光が投射光学系に導かれ、画像の表示が可能となる。また、他方のＯＦＦ光は、吸収板等で吸収され、迷光として投射光学系に入り込まない工夫がなされている。
【０００３】
本発明は、上記ＤＭＤのような反射型画像表示素子を用いた光学系および該光学系を備えた画像表示装置を提供するものであり、関連する公知技術としては、例えば、特許文献１（ＣＮ１０３６７６０９０：中国特許公開公報）および特許文献２（ＵＳ２０１４／０３０６８７８Ａ１：米国特許公開公報）に記載の技術が有る。
特許文献１は、ＤＭＤを用いた投射光学系について開示しており、ＯＦＦ状態の回折光がＯＮ状態の光路に入り込むことを防止するため、投射光学系のレンズ面に遮光部材をコートしている。そのような手段をとることにより、コントラストの低下を抑制している。
また、特許文献２には、ＴＲＰ（Ｔｉｌｔ  Ｒｏｌｌ  Ｐｉｘｅｌ）と呼ばれる画像表示素子を用いた眼鏡型ディスプレイについて開示されており、光の取り込み角度が、従来の２４度から３４度と大きくなるため、明るい眼鏡型ディスプレイが実現できるとしている。
【発明の概要】
【発明が解決しようとする課題】
【０００４】
しかしながら、上述した従前の技術には、以下に示すような課題がある。
まず、特許文献１に記載の技術は、投射光学系のレンズ面に遮光部材をコートすることにより、ＯＦＦ状態の回折光の影響は、除去することができるものの、ＯＦＦ状態の正反射光についてはその影響を除去できていない。即ち、実際に光学設計してみると、上記ＯＦＦ光の正反射光が投射光学系近傍を通過することがわかり、画像表示素子に近いレンズを保持している鏡胴に該正反射光が当たることが確認された。
また、特許文献２に記載の技術は、ＴＲＰと呼ばれる画像表示素子を用いて明るい光学系を実現するものであるが、光の取り込み角度が大きくなっているため、ＯＮ状態の光とＯＦＦ状態の光とを十分に分離することができない。
以上、従前の技術に残された課題を述べたが、とりわけＯＦＦ状態の正反射光が及ぼす影響については、未だに対策が取られておらず、改善を要する課題となっている。
本発明は、上記課題に鑑みてなされたものであって、二次元的に配列された複数のミラーから構成された画像表示素子を用いた投射光学系において、ＯＦＦ状態の正反射光が投射光の光路を形成する部材に照射されることにより該部材が発熱する現象を阻止し、解像劣化と迷光を抑制し得る光学系を提供することを目的とする。
【課題を解決するための手段】
【０００５】
上記課題を解決するために、請求項１に記載の本発明の光学系は、
光源と、複数のミラーが二次元に配列され、前記複数のミラーは各々その傾きにより少なくともＯＮ状態とＯＦＦ状態とを有する画像表示素子とを備える画像表示装置に用いられる光学系であって、
前記光源と前記画像表示素子との間に配置され、前記画像表示素子へ光を導く第１のプリズムと、
前記ＯＮ状態の光が入射する拡大光学系と、
前記画像表示素子と前記拡大光学系との間に配置され前記ＯＮ状態の光を前記拡大光学系に導く第２のプリズムと、
前記拡大光学系を保持する鏡胴と、を備え、
前記鏡胴の一部に反射部を有し、前記ＯＦＦ状態の光は前記反射部で反射されたのち、前記第２のプリズムを透過して光吸収部へ導かれることを特徴としている。
【発明の効果】
【０００６】
請求項１に記載の発明によれば、ＯＦＦ状態の正反射光が鏡胴の一部に形成された反射部で反射されるように規定したことにより、鏡胴に熱が伝わることを抑制し、レンズの膨張や屈折率変化による解像劣化を抑制することができる。また、反射部で反射された光がプリズムを透過して光吸収部に吸収されることにより、迷光を抑制することができる効果も有る。
【図面の簡単な説明】
【０００７】
【図１】本発明の第１の実施の形態に係る光学系の全体構成を示す光学配置図であり、画像表示素子のＯＮ状態の反射光が投射光学系に導かれる光路を示している。
【図２】本発明の第１の実施の形態に係る光学系の全体構成を示す光学配置図であり、画像表示素子のＯＦＦ状態の反射光の一部が鏡胴に当たる光路を示している。
【図３】図２における光学系において、画像表示素子のＯＦＦ状態の反射光の一部が鏡胴に当たる状態を示す部分拡大斜視図である。
【図４】第１の実施の形態に係る光学系において、ＯＦＦ光の光路を示すＹＺ平面図であり、（ａ）は、全体構成を示す図であり、（ｂ）は、主要部を拡大して示す図である。
【図５】第１の実施の形態に係る光学系に反射部を設けた場合のＯＦＦ光の光路を示すＸＺ平面図であり、（ａ）は、全体構成を示す図であり、（ｂ）は、主要部を拡大して示す図である。
【図６】本発明の第１の実施の形態に係る光学系に備えられた鏡胴の底面図であり、鏡胴の下端をＯＦＦ光の反射部とする場合の一例を示す底面図である。
【図７】本発明の第２の実施の形態に係る光学系に備えられた鏡胴の下部にＯＦＦ光の反射部材を備えた例を示す底面図である。
【図８】本発明の第３の形態に係る光学系に備えられた第１のプリズムと第２のプリズムの断面構成を示す断面図である。
【図９】本発明の第４の実施の形態に係る光学系の構成を示す光学配置図であり、３原色を作り出すための光源系として３つのＬＥＤと３つの集光レンズを用いた構成例を示すものである。
【図１０】第１の実施の形態に係る光学系を用いて構成した本発明の第５の実施の形態に係る画像表示装置の全体構成を示す平面図である。
【発明を実施するための形態】
【０００８】
以下、本発明の実施の形態を通じて本発明を説明するが、以下の実施の形態は、特許請求の範囲にかかる発明を限定するものではなく、また、実施の形態の中で説明されている特徴の組み合わせの全てが発明の解決手段に必須であるとは限らない。
図１〜図６は、本発明の第１の実施の形態に係る図であり、このうち、図１および図２は、本発明の第１の実施の形態に係る光学系の全体構成を示す光学配置図である。
図１および図２において、第１の実施の形態の光学系は、照明光学系１０１と、拡大光学系としての投射光学系１０２とから構成される。それらの主要な構成要素として、光源１、画像表示素子２、防爆ガラス３、カラーホイール４、光ミキシング素子５、鏡胴６、リレーレンズＬ１〜Ｌ４および第１のプリズムとしてのプリズムＡと第２のプリズムとしてのプリズムＢとを備える。なお、この他に、本発明に特徴的な構成要素として、後述する反射部７（図４〜図７を参照）または反射部材７ａ（図７参照）と吸収部としての吸収部材８（図４〜図５参照）とを備える。
なお、図１は、光学系１００のＯＮ光の光路、図２は、光学系１００のＯＦＦ光の光路を示すものである。画像表示素子２には、上述のＴＲＰを用いているので、従前のＤＭＤとは異なり、ＯＮ状態の複数のミラーの法線とＯＦＦ状態の複数のミラーの法線とは同一面上には存在していない。従って、ＯＮ光の光路に対するＯＦＦ光の光路も従前の同種光学系とは異なるものとなる。
【０００９】
ここで、以下の説明で使用する座標系の定義について述べる。公知のように、この種の画像表示装置は、光源から射出された光を画像表示素子２に照射する照明光学系（ここでは照明光学系１０１）と、画像表示素子２で変調された光を投影面に拡大投射する拡大光学系としての投射光学系（ここでは投射光学系１０２）とから構成されている。以下の説明では、画像表示素子２の短辺方向をＸ軸、画像表示素子２の長辺方向をＹ軸と定義し、さらに画像表示素子２の鉛直方向をＺ軸と定義している。
まず、照明光学系１０１の構成および機能について詳細に述べる。
光源１から射出された光は、リフレクタなどの集光器により所定の位置に集光される。
光源１としては、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）を用いてもよい。光源１の前面には、防爆ガラス３と白色光から光の３原色を経時的に作り出すカラーホイール４とを配置する。
【００１０】
前述の光源１から集光した位置近傍に光ミキシング素子５の入射端があり、光ミキシング素子５の出射端では照度分布が均一化された光が出射される。光ミキシング素子５として、本発明では、公知のライトトンネルを用いているが、必ずしもライトトンネルに限定されるものではなく、例えば、ロッドインテグレータやライトパイプなどを用いてもよい。
上記ライトトンネルは、矩形（矩形の短辺方向をX軸方向、長辺方向をＹ軸方向とする）の開口を有しており、よって、出射面から矩形形状の光が出射されることになる。
光ミキシング素子５から出射した光は、４枚のリレーレンズＬ（Ｌ１、Ｌ２、Ｌ３、Ｌ４）を透過し、第１のプリズムＡを介して矩形形状の照明光が画像表示素子２全面に照射される。
なお、光ミキシング素子５から出射した光を透過させるリレーレンズは、上記の４枚に限定されるものではなく、照明に必要な枚数でありさえすれば、その最小限の枚数であればよい。
【００１１】
画像表示素子２は、長手と短手を持つ矩形形状を呈しており、複数のミラーが二次元的に配列され、上記複数のミラーは、各々その傾きにより少なくともＯＮ状態とＯＦＦ状態とを有する（作り出す）。
また、画像表示素子２は、上述のＴＲＰ（Ｔｉｌｔ  Ｒｏｌｌ  Ｐｉｘｅｌの略）を想定しており、ＯＮ状態のミラーの法線とＯＦＦ状態のミラーの法線とが同一面上には存在していない。従前技術にも見られる通り、光の取り込み角度は３４度まで大きくなっており、明るい光学系を実現することができるが、ＯＮ状態の光とＯＦＦ状態の光が相対的に近づく関係にある。但し、画像表示素子２は、必ずしも上記ＴＲＰに限定されるものではない。
ＯＮ状態の複数のミラーで反射された照明光は、図１に示すように、第１のプリズムＡと第２のプリズムＢとを介して拡大光学系たる投射光学系１０２に導かれ、図示されない投影面に画像の表示が可能となる。画像表示素子２の前面には、該画像表示素子２を保護するためのカバーガラスが配置される。また、鏡胴６を設け、該鏡胴６に投射光学系１０２を構成するレンズを保持させている。
【００１２】
本光学系を構成する第１のプリズムＡと第２のプリズムＢとしては、所謂ＴＩＲプリズムを用いている。このＴＩＲプリズムは、２つの三角形を組み合わせたプリズムで、内部全反射プリズムとも称され、ＤＬＰプロジェクタに使用されている。
図１と図２に示す光路は、画像表示素子２の中央に当たる光線の経路を示しており、実際には画像表示素子２の大きさに沿った幅を持っている。
図３は、図２における光学系において、画像表示素子のＯＦＦ状態の反射光の一部が鏡胴に当たる状態を示す部分拡大斜視図である。
図３に示す光学系では、ＯＦＦ光の一部が鏡胴６に当たっていることが分かる。このように、ＯＦＦ光が鏡胴６に照射されると、鏡胴６が発熱するので、鏡胴６に物理的な歪み（レンズの膨張や屈折率変化による収差）が生じ、投影画像の解像度の劣化を招くことになる。
図４は、第１の実施の形態に係る光学系において、ＯＦＦ光の光路を示すＹＺ平面図であり、（ａ）は、全体構成を示す図であり、（ｂ）は、主要部を拡大して示す図である。
図５は、第１の実施の形態に係る光学系に反射部を設けた場合のＯＦＦ光の光路を示すＸＺ平面図であり、（ａ）は、全体構成を示す図であり、（ｂ）は、主要部を拡大して示す図である。
【００１３】
この第１の実施の形態に係る光学系では、図３に示すＯＦＦ光の一部が鏡胴６に当たる問題を解決することを課題とし、図４のＹＺ平面図と図５のＸＺ平面図に示すように、ＯＦＦ光の光路を規定すると共に、該ＯＦＦ光による影響を除去できるような構成要素を設けている。即ち、この第１の実施の形態に係る光学系では、鏡胴６の画像表示素子２との対面部（即ち，鏡胴６の下端部）に反射部７を設け、さらに、第２のプリズムＢの下方に光吸収部としての吸収部材８を設置する構成にしている。
このように構成したことにより、鏡胴６下端部の反射部７で反射されたＯＦＦ光の反射光は、第２のプリズムＢを透過し、吸収部材８によって吸収される。よって、ＯＦＦ光が鏡胴６に照射されて該鏡胴６が発熱することを防止することが可能となり、ひいては該鏡胴６が保持するレンズ群の熱変化により投影画像の解像度の劣化を抑制することができる。また、鏡胴６の反射部７で反射されたＯＦＦ光の反射光は、第２のプリズムＢを透過した後、光吸収部である吸収部材８によって吸収されるので、さまざまな悪影響をもたらす迷光とはならずに済む。
なお、この第１の実施の形態では、反射部７は、画像表示素子２との対面部（鏡胴６下端）に設置する。この反射部７は、より、具体的には、画像表示素子２のＯＦＦ状態の光が、第１のプリズムＡおよび第２のプリズムＢを透過して出射した光が当たる部位に、配置するものとする。
【００１４】
以下、本発明に係る光学系の特徴の一つである反射部の実施の形態について説明する。
図６は、本発明の第１の実施の形態に係る光学系に備えられた鏡胴の底面図であり、鏡胴の下端をＯＦＦ光の反射部とする場合の一例を示す底面図である。
図６に示す反射部７は、鏡胴６下端の画像表示素子２との対面部６−１に画像表示素子２のＯＮ状態の光がケラレないように、レンズ面９の外周に円環状の反射部にコーティングを施して反射部７としている。このコーティングは、ＯＦＦ光の反射率を高めるものであり、具体的にはＡｌやＡｇを材質とする単層コートであってもよいし、誘電体多層膜などの増反射膜を形成してもよい。鏡胴６は、内部のレンズを保持するが、この内部のレンズは、レンズ面９の周囲のコバ部９−１で支持されている。
図７は、第２の実施の形態に係る光学系に備えられた鏡胴６の下端にＯＦＦ光の反射部である反射部材７ａを設けた場合の、鏡胴６の底面図を示す。
図７に示す反射部材７ａでは、鏡胴６の画像表示素子２との対面部６−１に矩形状を呈する反射部は、鏡面を持つ反射部材７ａを貼り付けている。このような構成とすることで、鏡胴６に特別な加工を施す必要がなくなり、ＯＦＦ光の当たる領域にだけ鏡面を持つ反射部材７ａを貼り付けるだけの簡易な構成方法によって反射部を構成することができる。
【００１５】
図８は、本発明の第３の形態に係る光学系の経路中に備えられた第１のプリズムＡと第２のプリズムＢの断面構成を示す断面図である。
図８において、第１のプリズムＡの一つの角部（底辺と斜辺の交差角部）を切り欠くことで、第１のプリズムＡの反射面と第２のプリズムＢの出射面との交線と、第１のプリズムＡの反射面の端部とを一致させている。このような形状とすることにより、プリズムエッジでの散乱を防止し、上述の迷光を抑制することができる。また、吸収部材８を、プリズムＢの射出面に沿った位置に設置しているので、プリズムＢから射出された光を該吸収部材８で効率良く吸収させることができる。
また、このような吸収部材８の設置によっても、上記の迷光を抑制することができる。
図９は、本発明の第４の実施の形態に係る光学系の構成を示す平面図である。
図９において、投射光学系１０２は、図１、図２、図３等に示された光学系を用いているが、照明光学系のうち、３原色（Ｒ、Ｇ、Ｂ）を作り出すための光源系については、別の構成を用いる。
【００１６】
３原色を作り出す光源系として、例えば、赤色（Ｒ）を発する第１のＬＥＤ１と第１の集光レンズ１０、緑色（Ｇ）を発する第２のＬＥＤ２と第２の集光レンズ１１、青色（Ｂ）を発する第３のＬＥＤと第３の集光レンズ１２を用いて構成してなる。
第１のＬＥＤ１と第１の集光レンズ１０の光軸は、リレーレンズＬ１〜リレーレンズＬ４の主光軸と共通である。第２のＬＥＤ２と第２の集光レンズ１１の光軸は、主光軸上に斜設されたミラー１３によって、直交方向に反射されて主光軸に一致させられる。
第３のＬＥＤ３と集光レンズＬ１２の光軸は、上記主光軸上に斜設されたミラー１４によって、同様に、直交方向に反射されて主光軸と一致させられる。
ミラー１４と、光ミキシング素子５との間には、調整レンズ１５が挿入されている。
このように構成された光源系の３つのＬＥＤ１〜ＬＥＤ３は、画像表示素子（ＤＭＤ）２の各微小ミラーの動きに連動して発光動作して三原色を生成する。
上記第１〜第３の光源として、光源に、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）など、固体光源を用いることが望ましい。固体光源を用いることで、色再現性に優れた光学系１００を実現することができるからである。
【００１７】
図１０は、本発明の第５の実施の形態に係る画像表示装置の全体構成を示す平面図である。
この第５の実施の形態に係る画像表示装置１０００は、前述した第１〜第３の実施の形態に係る照明光学系１０１と投射光学系１０２とを構成要素に含めて構成される。また、上記光学系に加えて、映像源出力装置（既製品でよい）や各種装置の電源等を含む付属回路１０３を備えている。
この第５の実施の形態に係る画像表示装置の照明光学系１０１の中の光源系は、一つの光源１、防爆ガラス３、カラーホイール４からなり、画像表示素子２であるＤＭＤの各微小ミラーの動きに連動して動作し、光線に着色をするように構成してなる。
この点において、図９の第４の実施の形態に係る照明光学系とは、異なっている。
尚、光源１として、上述したように、ＬＥＤやＬＤなど固体光源を用いることが望ましい。固体光源を用いることで、色再現性に優れた光学系１００を実現することができるからである。
【００１８】
この第５の実施の形態に係る画像表示装置１０００によれば、ＯＦＦ光の反射光による発熱に起因する解像度の劣化を防ぐと共に迷光が抑制された画像表示装置を実現することができる。
以上のような実施の形態について詳しく説明した本発明に係る光学系およびその光学系を用いた画像表示装置の特徴とするところを、以下にまとめて説明する。
光源と、複数のミラーが二次元に配列され、前記複数のミラーは各々その傾きにより少なくともＯＮ状態とＯＦＦ状態とを有する画像表示素子とを備える画像表示装置に用いられる光学系であって、
前記光源と前記画像表示素子との間に配置され、前記画像表示素子へ光を導く第１のプリズムと、
前記ＯＮ状態の光が入射する拡大光学系と、
前記画像表示素子と前記拡大光学系との間に配置され前記ＯＮ状態の光を前記拡大光学系に導く第２のプリズムと、
前記拡大光学系を保持する鏡胴と、を備え、
前記鏡胴の一部に反射部を有し、前記ＯＦＦ状態の光は前記反射部で反射されたのち、前記第２のプリズムを透過して光吸収部へ導かれることを特徴としている（請求項１に対応する）。
【００１９】
このような構成により、ＯＦＦ状態の正反射光が鏡胴の一部に形成された反射部で反射されるように規定したことにより、鏡胴に熱が伝わることを抑制し、レンズの膨張や屈折率変化による解像劣化を抑制することができる。また、反射部で反射された光が第２のプリズムを透過して吸収部材に吸収されることにより、迷光を抑制することができる効果も有る。
また、前記鏡胴の前記反射部にコーティングが施されていることが望ましい（請求項２に対応する）。
鏡胴の反射部にコーティングが施されることにより、反射率を高め、効率よく吸収部材にＯＦＦ光を導くことができる効果が有る。
また、前記鏡胴の反射部は、鏡面を持つ反射部材を貼る構成としてもよい（請求項３に対応する）。このように構成した場合、鏡胴に特別な加工を必要とせず、簡易な構成で吸収部材にＯＦＦ光を導くことができる効果が有る。
【００２０】
また、光学系において、ＯＮ状態の複数のミラーの法線とＯＦＦ状態の複数のミラーの法線とが同一面上に存在しない画像表示素子を用いるようにしてもよい。（請求項４に対応する）。このような画像表示素子であっても、ＯＦＦ状態の正反射光による解像劣化を抑制することができる。
また、前記第１のプリズムと前記第２のプリズムの形状は、鏡胴の反射部で反射され第２のプリズムへ入射し且つ透過した光が光吸収部に向かうように形成されることが望ましい（請求項５に対応する）。
このような構成とすることにより、鏡胴に熱が伝わることを防止し、レンズの熱変化による投影画像の解像劣化を抑制することができる。
前記第１のプリズムの反射面と前記第２のプリズムの出射面との交線と、前記第１のプリズムの前記反射面の端部とを一致させることが望ましい（請求項６に対応する）。
また、前記第１のプリズムの１つの角部を切り欠いた形状とすることで、前記第１のプリズムの前記反射面と前記第２のプリズムの前記出射面との前記交線と、前記第１のプリズムの前記反射面の端部とを一致させるようにしてもよい（請求項７に対応する）。
【００２１】
このような形状とすることにより、プリズムエッジでの散乱を防止し、迷光を抑制することができる。
また、前記光吸収部は、前記第２のプリズムの出射面に沿って配置されることが望ましい（請求項８に対応する）。
また、前記光源は、固体光源であることが望ましい（請求項９に対応する）。
このように光源として、固体光源を用いることで、色再現性に優れた光学系を実現することができる。
また、上記のような特徴を有する光学系を用いて画像表示装置とすることが望ましい（請求項１０に対応する）。
このように構成することにより、鏡胴に熱が伝わることを抑制し、レンズの膨脹やな屈折率変化による解像劣化と迷光が抑制された画像表示装置を実現することができる。
【符号の説明】
【００２２】
１  光源
２  画像表示素子
３  防爆ガラス
４  カラーホイール
５  光ミキシング素子
６  鏡胴
７  反射部
７ａ  反射部材
８  吸収部材（光吸収部）
９  レンズ面
９−１  コバ部
１０〜１２  集光レンズ
１３、１４  ミラー
１５  調整レンズ
Ａ，Ｂ  プリズム
Ｌ１〜Ｌ４  リレーレンズ
１００  光学系
１０１  照明光学系
１０２  投射光学系（拡大光学系）
１０００  画像表示装置
【先行技術文献】
【特許文献】
【００２３】
【特許文献１】ＣＮ１０３６７６０９０
【特許文献２】ＵＳ２０１４／０３０６８７８
【図６】
2017032964.tif 000003
【図７】
2017032964.tif 000004
【図８】
2017032964.tif 000005
【図１】
2017032964.tif 000006
【図２】
2017032964.tif 000007
【図３】
2017032964.tif 000008
【図４】
2017032964.tif 000009
【図５】
2017032964.tif 000010
【図９】
2017032964.tif 000011
【図１０】
2017032964.tif 000012